(57)【要約】【課題】  画像の保存領域の縮小化を可能とするともに、画像に好適なパラメータ設定を可能とする画像の多重解像度表示システム、多重解像度表示方法、および多重解像度表示プログラムを提供する。【解決手段】  画像の多重解像度表示システム１は、周波数ブロック分割部１１、画像周波数ブロック保持部１２、および画像表示部１３を備えており、原画像ｄ１０を利用者からのパラメータ（多重解像度解析パラメータ）ｐ１指示に応じて多重解像度分析するとともに、利用者からの表示要求ｐ２に応じて再生表示画像ｄ２０を出力するコンピュータシステムである。【選択図】      図１
2005167836.tif 000002
【特許請求の範囲】
【請求項１】
利用者の指示パラメータに応じた多重解像度解析を行う画像の多重解像度表示システムであって、
前記利用者の分割および量子化に関する指示パラメータに基づいて、原画像を複数の周波数ブロックのデータに分割するとともに、分割された各周波数ブロックのデータを量子化する画像周波数ブロック分割手段と、
前記利用者の符号化に関する指示パラメータに基づいて、前記画像周波数ブロック分割手段で分割かつ量子化された複数の周波数ブロックのデータをそれぞれ別ファイルとして符号化し、保持する画像周波数ブロック保持手段と、
前記利用者の表示要求に応じて低周波から順次、前記画像周波数ブロック保持手段に保持された複数の周波数ブロックのデータを取得して、画像を再生し、表示する画像表示手段と、
を有することを特徴とする画像の多重解像度表示システム。
【請求項２】
前記分割に関する指示パラメータは、分割数およびマザーウェーブレットの形のうち少なくともいずれか一方を有することを特徴とする請求項１記載の画像の多重解像度表示システム。
【請求項３】
前記量子化に関する指示パラメータは、ブロック分割後の所定の分割段の量子化ビット数、周波数ブロックの位置に応じた量子化ビット数、および所定の周波数ブロックにおける空間位置に応じた量子化ビット数のうち少なくとも１つを有することを特徴とする請求項１又は２記載の画像の多重解像度表示システム。
【請求項４】
前記符号化に関する指示パラメータは、符号化時のデータ並び順を有することを特徴とする請求項１乃至３のいずれか１項に記載の画像の多重解像度表示システム。
【請求項５】
前記原画像の種類、大きさ、および用途のうち少なくとも１つに基づいて、選択された前記分割、前記量子化、および前記符号化に関する指示パラメータをそれぞれ組み合わせた指示パラメータに従って、多重解像度解析を行うことを特徴とする請求項１乃至４のいずれか１項に記載の画像の多重解像度表示システム。
【請求項６】
前記画像周波数ブロック保持手段は、前記複数の周波数ブロックの各データに空間位置情報を付加して保持し、前記画像表示手段は、表示された画像から利用者が部分的に指示した関心領域のみを前記空間位置情報に基づいて、高解像度表示することを特徴とする請求項１乃至５のいずれか１項に記載の画像の多重解像度表示システム。
【請求項７】
コンピュータによって、利用者の指示パラメータに応じた多重解像度解析を行う画像の多重解像度表示方法であって、
前記利用者の分割および量子化に関する指示パラメータに基づいて、原画像を複数の周波数ブロックのデータに分割するとともに、分割された各周波数ブロックのデータを量子化する画像周波数ブロック分割ステップと、
前記利用者の符号化に関する指示パラメータに基づいて、前記画像周波数ブロック分割手段で分割かつ量子化された複数の周波数ブロックのデータをそれぞれ別ファイルとして符号化し、記憶部に保持する画像周波数ブロック保持ステップと、
前記利用者の表示要求に応じて低周波から順次、前記記憶部に保持された複数の周波数ブロックのデータを取得して、画像を再生し、表示する画像表示ステップと、
を有することを特徴とする画像の多重解像度表示方法。
【請求項８】
前記分割に関する指示パラメータは、分割数およびマザーウェーブレットの形のうち少なくともいずれか一方を有することを特徴とする請求項７記載の画像の多重解像度表示方法。
【請求項９】
前記量子化に関する指示パラメータは、ブロック分割後の所定の分割段の量子化ビット数、周波数ブロックの位置に応じた量子化ビット数、および所定の周波数ブロックにおける空間位置に応じた量子化ビット数のうち少なくとも１つを有することを特徴とする請求項７又は８記載の画像の多重解像度表示方法。
【請求項１０】
前記符号化に関する指示パラメータは、符号化時のデータ並び順を有することを特徴とする請求項７乃至９のいずれか１項に記載の画像の多重解像度表示方法。
【請求項１１】
前記原画像の種類、大きさ、および用途のうち少なくとも１つに基づいて、選択された前記分割、前記量子化、および前記符号化に関する指示パラメータをそれぞれ組み合わせた指示パラメータに従って、多重解像度解析を行うことを特徴とする請求項７乃至１０のいずれか１項に記載の画像の多重解像度表示方法。
【請求項１２】
前記画像周波数ブロック保持ステップは、前記複数の周波数ブロックの各データに空間位置情報を付加して保持し、前記画像表示ステップは、表示された画像から利用者が部分的に指示した関心領域のみを前記空間位置情報に基づいて、高解像度表示することを特徴とする請求項７乃至１１のいずれか１項に記載の画像の多重解像度表示方法。
【請求項１３】
利用者の指示パラメータに応じた多重解像度解析を行う画像の多重解像度表示プログラムであって、
前記利用者の分割および量子化に関する指示パラメータに基づいて、原画像を複数の周波数ブロックのデータに分割するとともに、分割された各周波数ブロックのデータを量子化する画像周波数ブロック分割ステップと、
前記利用者の符号化に関する指示パラメータに基づいて、前記画像周波数ブロック分割手段で分割かつ量子化された複数の周波数ブロックのデータをそれぞれ別ファイルとして符号化し、記憶部に保持する画像周波数ブロック保持ステップと、
前記利用者の表示要求に応じて低周波から順次、前記記憶部に保持された複数の周波数ブロックのデータを取得して、画像を再生し、表示する画像表示ステップと、
をコンピュータに実行させることを特徴とする画像の多重解像度表示プログラム。
【請求項１４】
前記分割に関する指示パラメータは、分割数およびマザーウェーブレットの形のうち少なくともいずれか一方を有することを特徴とする請求項１３記載の画像の多重解像度表示プログラム。
【請求項１５】
前記量子化に関する指示パラメータは、ブロック分割後の所定の分割段の量子化ビット数、周波数ブロックの位置に応じた量子化ビット数、および所定の周波数ブロックにおける空間位置に応じた量子化ビット数のうち少なくとも１つを有することを特徴とする請求項１３又は１４記載の画像の多重解像度表示プログラム。
【請求項１６】
前記符号化に関する指示パラメータは、符号化時のデータ並び順を有することを特徴とする請求項１３乃至１５のいずれか１項に記載の画像の多重解像度表示プログラム。
【請求項１７】
前記原画像の種類、大きさ、および用途のうち少なくとも１つに基づいて、選択された前記分割、前記量子化、および前記符号化に関する指示パラメータをそれぞれ組み合わせた指示パラメータに従って、多重解像度解析を行うことを特徴とする請求項１３乃至１６のいずれか１項に記載の画像の多重解像度表示プログラム。
【請求項１８】
前記画像周波数ブロック保持ステップは、前記複数の周波数ブロックの各データに空間位置情報を付加して保持し、前記画像表示ステップは、表示された画像から利用者が部分的に指示した関心領域のみを前記空間位置情報に基づいて、高解像度表示することを特徴とする請求項１３乃至１７のいずれか１項に記載の画像の多重解像度表示プログラム。
【発明の詳細な説明】
【技術分野】
【０００１】
本発明は、画像を多重解像度表示する画像の多重解像度表示システム、多重解像度表示方法、および多重解像度表示プログラムに関する。
【背景技術】
【０００２】
多重解像度表示のための符号化方式としては、例えば、ウェーブレット変換を用いたＪＰＥＧ２０００がある。画像表示システムにおいては、多くの画像の中から必要とする画像を選択する場合、画像の情報量は膨大であるため、全ての画像が表示されるまでに多くの時間を費やしてしまい、実時間での処理が不可能となる問題点があるが、この多重解像度表示の符号化方式は、この問題点を解決する、即ち、画像の表示速度の高速化に寄与するものである。
【０００３】
尚、この出願に関連する先行技術文献情報としては、次のものがある。
【非特許文献１】David S.Taubman and Michael W.Marcellin著，「JPEG2000 IMAGE COMPRESSION FUNDAMENTALS, STANDARDS AND PRACTICE」，Kluwer Academic Publishers
【発明の開示】
【発明が解決しようとする課題】
【０００４】
ところで、上述したＪＰＥＧ２０００においては、分割された各周波数ブロックのデータをまとめて一つのファイルとして保存するようになっている。
【０００５】
一般に画像の情報量は膨大であるため、上述したＪＰＥＧ２０００のように全ての周波数ブロックのデータを一つのファイルとして保存する場合には、ファイルのサイズが大きくなり、多くの保存領域が必要とするという課題がある。
【０００６】
また、画像の効率の良い多重解像度表示のためには、画像を周波数ブロックに分割する場合や分割された周波数ブロックの量子化や符号化を行う場合に、画像の特徴を考慮したパラメータ設定を行う必要があるが、一般的な規格であるＪＰＥＧ２０００においては柔軟にパラメータ設定を行うことが許可されていないという課題がある。
【０００７】
本発明は、上記の課題を解決するためになされたものであり、画像の保存領域の縮小化を可能とするともに、画像に好適なパラメータ設定を可能とする画像の多重解像度表示システム、多重解像度表示方法、および多重解像度表示プログラムを提供することを目的とする。
【課題を解決するための手段】
【０００８】
上記目的を達成するため、請求項１記載の本発明は、利用者の指示パラメータに応じた多重解像度解析を行う画像の多重解像度表示システムであって、前記利用者の分割および量子化に関する指示パラメータに基づいて、原画像を複数の周波数ブロックのデータに分割するとともに、分割された各周波数ブロックのデータを量子化する画像周波数ブロック分割手段と、前記利用者の符号化に関する指示パラメータに基づいて、前記画像周波数ブロック分割手段で分割かつ量子化された複数の周波数ブロックのデータをそれぞれ別ファイルとして符号化し、保持する画像周波数ブロック保持手段と、前記利用者の表示要求に応じて低周波から順次、前記画像周波数ブロック保持手段に保持された複数の周波数ブロックのデータを取得して、画像を再生し、表示する画像表示手段と、を有することを要旨とする。
【０００９】
請求項２記載の本発明は、請求項１記載の発明において、前記分割に関する指示パラメータは、分割数およびマザーウェーブレットの形のうち少なくともいずれか一方を有することを要旨とする。
【００１０】
請求項３記載の本発明は、請求項１又は２記載の発明において、前記量子化に関する指示パラメータは、ブロック分割後の所定の分割段の量子化ビット数、周波数ブロックの位置に応じた量子化ビット数、および所定の周波数ブロックにおける空間位置に応じた量子化ビット数のうち少なくとも１つを有することを要旨とする。
【００１１】
請求項４記載の本発明は、請求項１乃至３のいずれか１項に記載の発明において、前記符号化に関する指示パラメータは、符号化時のデータ並び順を有することを要旨とする。
【００１２】
請求項５記載の本発明は、請求項１乃至４のいずれか１項に記載の発明において、前記原画像の種類、大きさ、および用途のうち少なくとも１つに基づいて、選択された前記分割、前記量子化、および前記符号化に関する指示パラメータをそれぞれ組み合わせた指示パラメータに従って、多重解像度解析を行うことを要旨とする。
【００１３】
請求項６記載の本発明は、請求項１乃至５のいずれか１項に記載の発明において、前記画像周波数ブロック保持手段は、前記複数の周波数ブロックの各データに空間位置情報を付加して保持し、前記画像表示手段は、表示された画像から利用者が部分的に指示した関心領域のみを前記空間位置情報に基づいて、高解像度表示することを要旨とする。
【００１４】
請求項７記載の本発明は、コンピュータによって、利用者の指示パラメータに応じた多重解像度解析を行う画像の多重解像度表示方法であって、前記利用者の分割および量子化に関する指示パラメータに基づいて、原画像を複数の周波数ブロックのデータに分割するとともに、分割された各周波数ブロックのデータを量子化する画像周波数ブロック分割ステップと、前記利用者の符号化に関する指示パラメータに基づいて、前記画像周波数ブロック分割手段で分割かつ量子化された複数の周波数ブロックのデータをそれぞれ別ファイルとして符号化し、記憶部に保持する画像周波数ブロック保持ステップと、前記利用者の表示要求に応じて低周波から順次、前記記憶部に保持された複数の周波数ブロックのデータを取得して、画像を再生し、表示する画像表示ステップと、を有することを要旨とする。
【００１５】
請求項８記載の本発明は、請求項７記載の発明において、前記分割に関する指示パラメータは、分割数およびマザーウェーブレットの形のうち少なくともいずれか一方を有することを要旨とする。
【００１６】
請求項９記載の本発明は、請求項７又は８記載の発明において、前記量子化に関する指示パラメータは、ブロック分割後の所定の分割段の量子化ビット数、周波数ブロックの位置に応じた量子化ビット数、および所定の周波数ブロックにおける空間位置に応じた量子化ビット数のうち少なくとも１つを有することを要旨とする。
【００１７】
請求項１０記載の本発明は、請求項７乃至９のいずれか１項に記載の発明において、前記符号化に関する指示パラメータは、符号化時のデータ並び順を有することを要旨とする。
【００１８】
請求項１１記載の本発明は、請求項７乃至１０のいずれか１項に記載の発明において、前記原画像の種類、大きさ、および用途のうち少なくとも１つに基づいて、選択された前記分割、前記量子化、および前記符号化に関する指示パラメータをそれぞれ組み合わせた指示パラメータに従って、多重解像度解析を行うことを要旨とする。
【００１９】
請求項１２記載の本発明は、請求項７乃至１１のいずれか１項に記載の発明において、前記画像周波数ブロック保持ステップは、前記複数の周波数ブロックの各データに空間位置情報を付加して保持し、前記画像表示ステップは、表示された画像から利用者が部分的に指示した関心領域のみを前記空間位置情報に基づいて、高解像度表示することを要旨とする。
【００２０】
請求項１３記載の本発明は、利用者の指示パラメータに応じた多重解像度解析を行う画像の多重解像度表示プログラムであって、前記利用者の分割および量子化に関する指示パラメータに基づいて、原画像を複数の周波数ブロックのデータに分割するとともに、分割された各周波数ブロックのデータを量子化する画像周波数ブロック分割ステップと、前記利用者の符号化に関する指示パラメータに基づいて、前記画像周波数ブロック分割手段で分割かつ量子化された複数の周波数ブロックのデータをそれぞれ別ファイルとして符号化し、記憶部に保持する画像周波数ブロック保持ステップと、前記利用者の表示要求に応じて低周波から順次、前記記憶部に保持された複数の周波数ブロックのデータを取得して、画像を再生し、表示する画像表示ステップと、をコンピュータに実行させることを要旨とする。
【００２１】
請求項１４記載の本発明は、請求項１３記載の発明において、前記分割に関する指示パラメータは、分割数およびマザーウェーブレットの形のうち少なくともいずれか一方を有することを要旨とする。
【００２２】
請求項１５記載の本発明は、請求項１３又は１４記載の発明において、前記量子化に関する指示パラメータは、ブロック分割後の所定の分割段の量子化ビット数、周波数ブロックの位置に応じた量子化ビット数、および所定の周波数ブロックにおける空間位置に応じた量子化ビット数のうち少なくとも１つを有することを要旨とする。
【００２３】
請求項１６記載の本発明は、請求項１３乃至１５のいずれか１項に記載の発明において、  前記符号化に関する指示パラメータは、符号化時のデータ並び順を有することを要旨とする。
【００２４】
請求項１７記載の本発明は、請求項１３乃至１６のいずれか１項に記載の発明において、前記原画像の種類、大きさ、および用途のうち少なくとも１つに基づいて、選択された前記分割、前記量子化、および前記符号化に関する指示パラメータをそれぞれ組み合わせた指示パラメータに従って、多重解像度解析を行うことを要旨とする。
【００２５】
請求項１８記載の本発明は、請求項１３乃至１７のいずれか１項に記載の発明において、前記画像周波数ブロック保持ステップは、前記複数の周波数ブロックの各データに空間位置情報を付加して保持し、前記画像表示ステップは、表示された画像から利用者が部分的に指示した関心領域のみを前記空間位置情報に基づいて、高解像度表示することを要旨とする。
【発明の効果】
【００２６】
本発明によれば、画像の保存領域の縮小化を可能とするともに、画像に好適なパラメータ設定を可能とする画像の多重解像度表示システム、多重解像度表示方法、および多重解像度表示プログラムを提供することができる。
【発明を実施するための最良の形態】
【００２７】
以下、本発明の実施の形態を図面を用いて説明する。
【００２８】
図１は、本発明の実施の形態に係る多重解像度表示システム１の概略構成図である。図１に示す画像の多重解像度表示システム１は、画像周波数ブロック分割部１１、画像周波数ブロック保持部１２、および画像表示部１３を備えており、原画像ｄ１０を利用者からのパラメータ（多重解像度解析パラメータ）ｐ１指示に応じて多重解像度分析するとともに、利用者からの表示要求ｐ２に応じて再生表示画像ｄ２０を出力するコンピュータシステムである。尚、以下、歯科分野における歯科画像に適用した多重解像度表示システム１として説明するが、本発明は、この分野の画像に限定されるわけではなく、あらゆる分野の画像に適用できるものである。
【００２９】
画像周波数ブロック分割部１１は、利用者（例えば、歯科医師）からのパラメータｐ１指示により、原画像ｄ１０をウェーブレット変換をはじめとする周波数変換を用いて複数の周波数ブロックに分割し、分割された各周波数ブロックのデータを量子化するようになっている。ここで、利用者からのパラメータｐ１指示には、分割に関する指示パラメータｐ１１として、例えば、具体的には、分割数、マザーウェーブレットの形などの指示に関するものがあり、また、量子化に関する指示パラメータｐ１２として、例えば、具体的には、ブロック分割後のある分割段（例えば、一回分解時の高周波分全て）の量子化ビット数、周波数ブロックの位置（例えば、一回分解時の横方向高周波成分）に応じた量子化ビット数、ある周波数ブロックにおける空間位置（例えば、一回分解時の横方向高周波成分の中の歯根の部分）に応じた量子化ビット数などの指示に関するものがある。
【００３０】
画像周波数ブロック保持部１２は、画像周波数ブロック分割部１１で分割され、かつ量子化された複数の各周波数ブロックのデータをそれぞれ別のファイルとして、利用者からのパラメータｐ１指示により符号化し、保持するようになっている。ここで、利用者からのパラメータ指示ｐ１には、符号化に関する指示パラメータｐ１３として、例えば、具体的には、符号化時のデータ並び順などがある。尚、符号化し、保持する段階においては、空間位置情報を付加するようになっているので、後述するように画像の特定領域だけを再生表示することが可能となっている。
【００３１】
また、画像周波数ブロック保持部１２は、画像表示部１３を介して受け取った利用者からの表示要求ｐ２に応じて保持している複数のファイルを画像表示部１３に送出するようになっている。
【００３２】
画像表示部１３は、利用者からの表示要求ｐ２を受けて、表示に必要な周波数ブロックのデータを画像周波数ブロック保持部１２に要求するとともに、画像周波数ブロック保持部１２から要求した周波数ブロックのデータを受け取ると、画像を再生し、表示するようになっている。ここで、表示に必要な周波数ブロックのデータとは、利用者からの表示要求ｐ２の指示により、低周波の周波数ブロックのデータから順次高周波の周波数ブロックのデータを取得していくもので、これにより、利用者の多段階の指示により画像が高解像度表示されるようになっている。
【００３３】
また、表示されている画像の特定の領域（関心領域）だけを利用者がさらに高解像度で表示したい場合には、該関心領域を指示する表示要求ｐ２を受けて、該関心領域だけの画像を表示するようになっている。
【００３４】
尚、上述した利用者からのパラメータｐ１（分割に関する指示パラメータｐ１１、量子化に関する指示パラメータｐ１２、および符号化に関する指示パラメータｐ１３）指示は、それぞれの指示パラメータｐ１１、ｐ１２、およびｐ１３を個々に指示することも可能であるが、画像に適したパラメータの組み合わせｐ１’を用意しておき、該パラメータの組み合わせｐ１’を指示することも可能である。ここで、画像に適したパラメータの組み合わせｐ１’とは、具体的には、画像の種類（例えば、レントゲン写真か、デジタル写真か）、フィルムの大きさ（例えば、パノラマサイズか、否か）、用途（例えば、軟組織を見たいか、骨を見たいかなど）などに応じて適切なパラメータ値の組み合わせを予め用意しておくものである。これにより、利用者（歯科医師）は、各パラメータを設定するのに必要な、多重度解析に関する専門的な知識を要することなく、簡単に画像に最適な多重解像度分析を行うことができる。
【００３５】
ここで、多重解像度表示システム１は、少なくとも演算機能および制御機能を備えた中央演算装置（ＣＰＵ）、プログラムやデータを格納する機能を有するＲＡＭ等からなる主記憶装置（メモリ）を有する電子的な装置から構成されているものである。また、多重解像度表示システム１は、主記憶装置の他、ハードディスクなどの補助記憶装置を具備していてもよい。
【００３６】
また、本実施の形態に係る各種処理を実行するプログラムは、前述した主記憶装置またはハードディスクに格納されているものである。そして、このプログラムは、ハードディスク、フレキシブルディスク、ＣＤ−ＲＯＭ、ＭＯ、ＤＶＤ−ＲＯＭなどのコンピュータ読み取り可能な記録媒体に記録することも、通信ネットワークを介して配信することも可能である。
【００３７】
尚、図１は多重解像度表示システム１の論理的な機能構成を示しているものであるため、多重解像度表示システム１が物理的に一つからなる装置の他、多重解像度表示システム１の各部がネットワーク接続された構成であってもよく（例えば、画像周波数ブロック分割部１１および画像周波数ブロック保持部１２はサーバ側、画像表示部１３はクライアント側のシステム構成、あるいは画像周波数ブロック分割部１１はサーバ側、画像周波数ブロック保持部１２および画像表示部１３はクライアント側のシステム構成）、物理的な構成は限定されないものである。
【００３８】
次に、本実施の形態に係る多重解像度表示システム１の動作について、図２を用いて説明する。
【００３９】
まず、レントゲン装置など画像診断装置より取得された原画像ｄ１０は、画像周波数ブロック部１１に送られる（ステップＳ１０）。利用者である歯科医師は、画像表示部１３よりパラメータｐ１を指示すると、該パラメータｐ１は画像周波数分割部１１に送られる（ステップＳ２０）。尚、利用者が指示するパラメータは、各パラメータを直接指示するパラメータｐ１、および画像に適したパラメータの組み合わせｐ１’のいずれであってもよい。
【００４０】
次に、指示されたパラメータにより分割され、量子化された各周波数ブロックのデータは、画像周波数ブロック保持部１２に送られ、各周波数ブロックごとにファイル化され、符号化、保持される（ステップＳ３０，Ｓ４０，Ｓ５０，Ｓ６０）。
【００４１】
利用者である歯科医師が保存された画像を呼び出す場合には、画像表示部１３を介して
指示した１又は複数の画像に対して最も低い周波数ブロックのデータだけを画像周波数ブロック保持部１２に要求する（ステップＳ７０）。画像周波数ブロック保持部１２は、要求があった画像について最も低い周波数ブロックのデータだけを画像表示部１３に送出し、画像表示部１３は、受け取ったデータの画像を再生、表示する（ステップＳ８０）。
【００４２】
利用者である歯科医師は、さらに高解像度で表示したい画像に対しては、高い周波数ブロックのデータを画像周波数ブロック保持部１２に要求する（ステップＳ９０，Ｓ７０）。画像周波数ブロック保持部１２は、要求があった画像について高い周波数ブロックのデータだけを画像表示部１３に送出し、画像表示部１３は、受け取ったデータを既に受信したデータと合成してより解像度の高い画像を再生、表示する（ステップＳ８０）。以上の動作を利用者である歯科医師からの表示要求があれば、さらに繰り返す（ステップＳ９０，Ｓ７０，Ｓ８０）。このように、保存領域やデータ伝送速度に負担をかけることなく、目的の画像だけを選択して段階的に高解像度表示することが可能となる。
【００４３】
また、利用者である歯科医師は、高解像度表示する段階で、関心領域だけを表示したいときは、関心領域を指示する表示要求ｐ２を送信することにより、その後の段階では、多重解像度表示システム１は、関心領域だけを高解像度表示する（ステップＳ７０，Ｓ８０）。
【００４４】
従って、本実施の形態の多重解像度表示システム１によれば、ウェーブレット変換をはじめとする周波数変換を用いた画像の多重解像度表現により画像の表示速度の高速化を行うとともに、多重解像度解析により周波数ブロックに分割された各周波数成分をその領域ごとに量子化し、別ファイルとしてファイル保存するので、画像の保存領域の縮小化が可能となる。
【００４５】
また、画像を多重解像度解析する際に、画像に適したパラメータを設定可能とするので、柔軟性に富んだ、高効率な分割、量子化、および符号化を可能とすることができる。
【００４６】
さらに、多重解像度表示の途中段階以降で、表示された画像の関心領域だけを表示することができる。
【図面の簡単な説明】
【００４７】
【図１】本発明の実施の形態に係る多重解像度表示システムの概略構成図である。
【図２】本発明の実施の形態に係る多重解像度表示システムの動作を説明するフローチャートである。
【符号の説明】
【００４８】
１  多重解像度表示システム
１１  画像周波数ブロック分割部
１２  画像周波数ブロック保持部
１３  画像表示部
ｄ１０  原画像
ｄ２０  再生表示画像
ｐ１  多重解像度解析パラメータ
ｐ２  表示要求
【図１】
2005167836.tif 000003
【図２】
2005167836.tif 000004